(57)【要約】【課題】腹部は適度に圧迫し、局部は押さえつけることなく収容保護し得、かつ、自然な状態で左右両方向からの操作が可能な男性用ガードルを提供することを課題とする。【解決手段】フロントパネル(２)が、上端(５)が腹部中央部に位置する下パネル(６)と、前記下パネル上端(５)を覆った状態で、腰部から股部に至る上パネル(７)から成るものであり、前記上パネル(７)の下方が逆三角形状(９)をなし、この逆三角形状の部分(９)は、前記下パネル(７)から離れた状態で存在し、その先端部(８)が股部に逢着されていることを特徴とする、全体に伸縮性ある生地で構成された紳士用ガードル(１)。【選択図】図１
0003117464.tif 000002
【実用新案登録請求の範囲】
【請求項１】
ガードル前幅の４５〜８０％の幅のフロントパネルの両脇に、脇部と一体となった後身頃が取り付けられて成る、全体に伸縮性ある生地で構成されたガードルであって、
前記フロントパネルが、上端が腹部中央部に位置する下パネルと、前記下パネル上端を覆った状態で、腰部から股部に至る上パネルから成るものであり、前記上パネルの下方が逆三角形状をなし、この逆三角形状の部分は、前記下パネルから離れた状態で存在し、その先端部が股部に逢着されていることを特徴とする紳士用ガードル。
【請求項２】
前記上パネルの上方裏面に、強弾性の補強パネルが取り付けられていることをさらに特徴とする、請求項１に記載の紳士用ガードル。
【請求項３】
前記後身頃において、後身頃股部分からその両側上端部にかけて臀部形状に沿った弧を描く帯状部分の裏面に、強弾性ある補強テープを重ね合わせたことをさらに特徴とする、請求項１または２に記載の紳士用ガードル。
【請求項４】
前記上フロントパネルの両脇に、前記脇部の上方を覆うように、ゴム弾性ある翼状の布であって、その先端にベルベット式ファスナーのフック面を取り付けたものが取り付けられており、かつ、後身頃の上端部、後股上丈の２０％〜４０％の幅のウエスト方向の帯状部分に、ベルベット式ファスナーのループ面が取り付けられていることをさらに特徴とする、請求項１〜３のいずれか１項記載の紳士用ガードル。
【考案の詳細な説明】
【技術分野】
【０００１】
本考案は、紳士用の下着、特にガードルに関する。
【背景技術】
【０００２】
昨今は女性のみならず男性も、自己の容姿をよく見せることに関心がある。特に、中年期以降の男性は、腰回りの体型の崩れを整えて、少なくともズボン着用時の胴回りの見栄えを良くしたいものである。そこで、ズボン下に着用して腰回りを締め付け・補整する紳士用ガードルがいくつか提供されている。
【考案の開示】
【考案が解決しようとする課題】
【０００３】
しかし、従来の紳士用ガードルにおいては、前身頃の下部において、着用者の肌に当接する当て布と、当該当て布に重ねられた重ね布とにより、前身頃の下部右側の上下方向に窓部が位置するように形成されているのが一般的である。しかしこれでは、左利きの着用者が操作しにくい、着用時に窓部が開いてしまうことがある等の問題がある。この問題を解決すべく、窓部の縁がウエスト開口縁の下方に、ウエスト開口縁と平行するように窓部を設けて、窓部上方から操作を行えるようにしたことにより、右利き・左利きに関わらず操作性に優れたものとし、着用時の窓部の開きの問題も解決した男性用下着が開発されている(特許第3382166号)。しかしこの先行技術においては、局部を持ち上げて操作しなければならず、局部に若干の負担を伴う。
【課題を解決するための手段】
【０００４】
考案者はここに、腹部は適度に圧迫し、局部は押さえつけることなく収容保護し得、かつ、自然な状態で左右両方向からの操作が可能な男性用ガードルを開発し、前記課題を解消した。
本考案は、ガードル前幅の４５〜８０％の幅のフロントパネルの両脇に、脇部と一体となった後身頃が取り付けられて成る、全体に伸縮性ある生地で構成されたガードルであって；前記フロントパネルが、上端が腹部中央部に位置する下パネルと、前記下パネル上端を覆った状態で、腰部から股部に至る上パネルから成るものであり、前記上パネルの下方が逆三角形状をなし、この逆三角形状の部分は、前記下パネルから離れた状態で存在し、その先端部が股部に逢着されていること、を特徴とする紳士用ガードルに関するものである。
【０００５】
本考案において下パネルは、着用者の股部から腹部中央部までを覆い、その上端が腹部中央部に位置している。本考案のガードルでは、下パネルがこのように、股部から腹部中央部までを覆っているため、着用時に窓部が開いてしまう問題がない。
上パネルは、下パネルの上端表面を覆って、かつ下パネルから離れた状態で、下パネルの股部から上方の鼠径部内側に沿った逆三角形状部分を、詳しくは、上パネルの下方の逆三角形状部分により覆って、局部を保護している。即ち上パネルの下方の逆三角形部分は、股部に逢着される先端部から、着用者の局部より上方であって下パネルの上端の若干下方位置まで届く長さとなっている。上パネルの下方の逆三角形状部分の中央部および下パネルの鼠径部の内側の逆三角形状部分の中央部は、若干盛り上がるようにゆとりをもって成形されていて、着用者の局部を圧迫することがない。
【０００６】
なお、本考案の紳士用ガードルがトランクス型のものである場合は、下パネルの鼠径部の外側、大腿の上方にあたる部分を下方に長めにとって成るフロントパネルの両脇に、大腿部分をこれに併せて長めにとった後身頃を取り付ける。本考案の紳士用ガードルがパンツ型のものである場合は、下パネルの大腿の上方にあたる部分を下方に短めにとって成る、ないしその部分を欠いて成るフロントパネルの両脇に、大腿部分をこれに合わせて成形した後身頃を取り付ける。
【０００７】
また本考案では、上パネルの逆三角形状部分から上の部分が、着用者の腹部を覆って、所望により当該腹部を圧迫できるものとなっている。即ち、腹部を広範囲に渡って圧迫・補整したい場合には、この上パネルの逆三角形状部分から上の部分の長さを長くとることにより実現する。
本考案において、上パネルが前記下パネル上端を覆っており、下方の逆三角形状の部分が下パネルから離れた状態で存在し、その先端部が腹部に逢着されていることにより、逆三角形状部分の左右の斜縁が各々、上パネルと下パネル上端の間を開通して局部へ通じる左右開口となっていて、左右いずれからでも操作ができる。
【０００８】
本考案はまた、前記上パネルの上方裏面に、強弾性の補強パネルが取り付けられていることをさらに特徴とする、前記紳士用ガードルに関する。
上パネルの上方裏面に強弾性の補強パネルを取り付けることにより、当該部分において腹部をより強く圧迫・補整できる。補強パネルを取り付ける範囲や形状は、圧迫が所望される腹部の範囲や形状により適宜選択できるが、補強パネルが上パネルの下方の逆三角形状部分の裏面にかからないことが好ましい。
【０００９】
本考案はまた、ガードルを構成する前記後身頃において、後身頃股部分からその両側上端部にかけて臀部形状に沿った弧を描く帯状部分の裏面に、強弾性の補強パネルを重ね合わせたことをさらに特徴とする、前記紳士用ガードルに関する。
後ろ身頃股部分からその両側上端部にかけて臀部形状に沿った帯状部分に補強パネルを重ね合わせたことにより、当該帯状部分が、その囲む着用者の臀部下部を下から支えて持ち上げ、ヒップアップ効果を得ることができる。
なお、本考案のガードルには、前記後身頃股部分からその両側上端部にかけての帯状部分の裏面のみならず、さらなる圧迫が所望される部分の裏面に適宜、補強パネルを取り付けることができる。
【００１０】
前記本考案のガードルにはその腰部に、ガードルを腰部により安定に固定したり、腰部や腹部をいっそう引き締める等の、所望のさらなる効果を得るための補助部を取り付けることができる。そのような補助部は、所望される効果やデザインに応じて様々であるが、例えば、ガードルのウエストに設けられたベルト通しと、その下にくぐらせてウエストに巻き付けられるベルト；本考案の上フロントパネルの両脇から後身頃へ向かうよう設けられた翼状の布であって、その先端を当該後身頃に係止させる態様としたものと、当該後身頃における対応する係止具；本考案の後身頃のウエスト部において、脇部を経て正面へ向かうよう設けられた翼状の布であって、その先端を当該正面にて係止させる態様としたものと、当該正面における対応する係止具、等が可能である。
【００１１】
かかる補助部の１具体例としては、下記の実施例に示すような、本考案の前記上フロントパネルの両脇に、前記脇部の上方を覆うように取り付けられた、ゴム弾性ある翼状の布であって、その先端にベルベット式ファスナーのフック面を取り付けたものと、当該後身頃の上端部、後股上丈の２０％〜４０％の幅のウエスト方向の帯状部分に取り付けられたベルベット式ファスナーのループ面とから成るものであって、前記翼状の布を、着用者の脇部から背へと引っ張りながら、その先端のベルベット式ファスナーのフック面を、後ろ身頃の上端部の前記帯状部分のベルベット式ファスナーループ面に係止するものが可能である。この補助部により、着用者は適宜、腰部の引き締め・矯正を調整しながらガードルウエスト部を腰部にしっかり固定できる他、翼状の布を背へと若干強く引っ張って係止させた場合には、腹部から背部へと働く牽引力により、腹部をいっそうタイトに引き締めることもできる。なお、前記ベルベット式ファスナーのループ面に代えて、単なるパイル地のテープを用いてもよい。
【００１２】
本考案のガードルに使用する伸縮性ある生地は、通常のガードルに使用されるものを使用できる。着用者の腰部や臀部を適度に圧迫して引き締めるのに適し、かつ摩擦に耐えるものが好ましく、例えばナイロンや綿を素材とする編地のものが挙げられるが、これらには限定されない。
本考案の上パネルの上方裏面に取り付けられる強弾性の補強パネルは、それが当接する腹部を、所望によりいっそう強く圧迫するのに適した、強い弾性を持ち、かつ摩擦に耐えるものが好ましく、例えばナイロンや綿を素材とするものが挙げられるが、これらには限定されない。本考案のガードルの後身頃股部分からその両側上端部にかけて臀部形状に沿った弧を描く帯状部分の裏面に取り付けられる強弾性の補強パネルは、臀部を下方から押し上げて支持するのに適した、強い弾性を持ち、かつ摩擦に耐えるものが好ましく、例えばナイロンや綿を素材とするものが挙げられるが、これらには限定されない。
【考案の効果】
【００１３】
本考案の紳士用ガードルは、右利き・左利きに関わらず、自然な状態で左右いずれの方向からも操作可能なものである。本考案の紳士用ガードルはまた、腹部は強く圧迫し、かつ局部は圧迫されることなく保護されるようにすることが可能である。所望により上パネル両脇に設けられる翼状の布をガードル背面へと牽引して、腰部ならびに腹部を引き締め、かつガードルのずれ下がりを防止することができる。
【考案を実施するための最良の形態】
【００１４】
以下、図面を参照しながら本考案の好ましい一実施態様について、説明する。
図１は、本考案の一具体例である紳士用ガードルの正面のおもて面を示す。
図２は、図１に示す紳士用ガードルの正面のうら面を示す。
図３は、図１および図２に示す本考案の紳士用ガードルの背面図である。
図４は、図１〜図３に示す本考案の紳士用ガードルの左側面図である。
【００１５】
図１に示す本考案の紳士用ガードル(１)はトランクス型のものであり、３３ｃｍのガードル前幅の３分の２にあたる幅の、伸縮性ある編地から成るフロントパネル(２)の両脇に、脇部(３)と一体となった、伸縮性ある編地から成る後身頃(４)が取り付けられて成るものである。フロントパネル(２)は、上端(図２の５)を若干湾曲状に成形した１４ｃｍの股上丈(Ｌ−１)の下パネル(６)と、３３ｃｍの丈(Ｌ−２)の略ベース形の上パネル(７)とから構成されている。下パネル(６)は、その上端(５)が着用者の腹部中央部に位置するように成形されている。上パネル(７)は、腰部から股部へと至り、下方、股部にかけては、先端部(８)までの長さ(Ｌ−３)が１１ｃｍの逆三角形状(９)をなしている。上パネル(７)は下パネル(６)の上端(５)を覆い、下パネル(６)から離れた状態で、下パネル(６)の股部から上、鼠径部(１０)の内側に沿った逆三角形の部分を覆って、先端部(８)が下パネルの股部に逢着されている。上パネル(７)の中央部から上方のベース形の部分(１１)の裏面には、強弾性ある布帛から成る補強パネルを取り付けて、腹部を圧迫・補整できるようにしてある。上パネル(７)の両脇には、ガードル脇部(３)の上方を覆うように、ゴム弾性ある翼状の布(１２)が取り付けてある。翼状の布(１２)の先端(１３)には、ベルベット式ファスナーのフック面が取り付けてある。なお、上パネルの下方の逆三角形状の部分(９)の中央部および、下パネルの股部から上、鼠径部(１０)の内側に沿った逆三角形状部分の中央部は、若干盛り上がるようにゆとりをもって成形されていて、着用者の局部を圧迫することがないようにしてある。
【００１６】
図１に示す本考案の紳士用ガードルにおいて後身頃(４)は、フロントパネル(２)の両縁に、その対応する縁を縫合して、筒体の本考案のガードル(１)を形成している。なお、下パネル(６)の鼠径部(１０)の外側、大腿部(１４)は、本ガードルにおいては下方に長めに(股部から下１２ｃｍ)とってあり、後身頃(４)においても合わせて、その大腿部(１５)を長めにとってある。後身頃(４)の股部分からその両側上端部にかけて臀部形状に沿った弧を描く帯状部分(１６)(中央部６ｃｍ；両端部８ｃｍ)の裏面に、強弾性ある布帛から成る補強テープを重ね合わせてある。また、後身頃(４)の上端部、９ｃｍ幅のウエスト方向の帯状部分(１７)には、ベルベット式ファスナーのループ面が取り付けてある。
【００１７】
本考案の紳士用ガードル(１)は、上パネル(７)の下方の逆三角形の部分(９)の両縁が各々、下パネルの上端(５)と上パネル(７)の間を開けて局部に通じる左右の窓部(１８)となっていて、左右どちらからでも操作できる。なお、本ガードル(１)では、下パネル(６)の上端(５)が、左右の窓部(１８)の各上端位置(１９)から若干(下パネル上端中央部で３ｃｍ；側部で５ｃｍ)上の裏面に配置されるように形成されている。このため、下パネル(６)が局部を安定に収容できる一方で、上パネルの窓部(１８)から、パネルの上端(５)を容易に引き下げて、操作を簡便に行うことができる。
【図面の簡単な説明】
【００１８】
【図１】図１は、本考案の一具体例であるトランクス型紳士用ガードル正面のおもて面を示す図である。
【図２】図２は、図１に示す紳士用ガードルの正面のうら面を示す図である。
【図３】図３は、図１および図２に示す紳士用ガードルの背面図である。
【図４】図４は、図１〜図３に示す紳士用ガードルの左側面図である。
【符号の説明】
【００１９】
１    本考案の紳士用ガードル
２    フロントパネル
３    脇部
４    後身頃
５    下パネルの上端
６    下パネル
７    上パネル
８    先端部
９    上パネルの下方の逆三角形状の部分
１０  鼠径部
１１  補強パネルが取り付けられた部分
１２  翼状の布
１３  先端部
１４、１５  大腿部
１６、１７  帯状部分
１８  窓部
１９  窓部の上端位置
Ｌ−１  下パネルの股上丈
Ｌ−２  上パネルの丈
Ｌ−３  上パネルの下方の逆三角形状部分の上下方向の長さ
【図１】
0003117464.tif 000003
【図２】
0003117464.tif 000004
【図３】
0003117464.tif 000005
【図４】
0003117464.tif 000006